(57)【要約】例示的なスキンケアデバイスは、第１の側（２０）、第２の側（３０）、中間部分（４０）、溝（２４）を有する本体と、光源（１００）と、モータ（８０）と、温度制御ユニット（１１０）と、光源、モータ、および温度制御ユニットのうちの１つまたは複数を制御するように構成されたユーザコントロール（７２）とを含む。スキンケアデバイスは、ユーザの皮膚に熱、低温、光、および／または振動療法を提供することができる。
2020512849.tif 000002
【特許請求の範囲】
【請求項１】
ユーザの皮膚を処置するように構成されたスキンケアデバイスであって、
第１の面を有する第１の側、第２の面を有する前記第１の側と実質的に反対の第２の側、および前記第１の側から前記第２の側に延びており、第３の面を有する中間部分を有する本体と、
前記本体内に配設され、前記皮膚を処置するための光を放出するように構成された光源であって、前記第１の側に隣接して前記光を放出するように構成された、光源と、
前記本体内に配設され、前記スキンケアデバイスの脈動を生成するように構成されたモータと、
前記本体内に配設された温度制御ユニットであって、前記皮膚を処置するための熱を発生し、前記熱を前記第１の側に伝達するように構成された、温度制御ユニットと、
前記中間部分上に配設されたユーザコントロールであって、前記光源、前記モータ、および前記温度制御ユニットを動作させるように構成された、ユーザコントロールと
を備えるスキンケアデバイス。
【請求項２】
前記光源は発光ダイオード（「ＬＥＤ」）ライトを備える請求項１に記載のスキンケアデバイス。
【請求項３】
前記光源は、赤色光を放出するように構成された請求項２に記載のスキンケアデバイス。
【請求項４】
前記光源は、緑色光を放出するように構成された請求項３に記載のスキンケアデバイス。
【請求項５】
前記光源は、青色光を放出するように構成された請求項４に記載のスキンケアデバイス。
【請求項６】
前記第２の面は突出部のセットを画成する請求項１に記載のスキンケアデバイス。
【請求項７】
前記スキンケアデバイスの温度を検出し、それが過熱した場合、前記スキンケアデバイスを停止するように構成された前記本体内に配設されたセンサをさらに備える請求項１に記載のスキンケアデバイス。
【請求項８】
前記第１の側および前記中間部分は、前記第２の側のほうへ延びている溝を協働して画成し、
前記光源は前記溝の中に前記光を放出する請求項１に記載のスキンケアデバイス。
【請求項９】
前記溝の中に挿入されるように構成された取外し可能なロッキング機構をさらに備える請求項８に記載のスキンケアデバイス。
【請求項１０】
前記ロッキング機構は、実質的に透明であり、プラスチックからなる請求項９に記載のスキンケアデバイス。
【請求項１１】
前記ロッキング機構によって前記第１の側上の所定の位置に固定されたフェイシャルマスクをさらに備える請求項１０に記載のスキンケアデバイス。
【請求項１２】
前記本体内に配設されたコントローラおよび前記コントローラに動作可能に接続されたインターフェースをさらに備え、前記インターフェースは、携帯電話に情報を送信するように構成された請求項１に記載のスキンケアデバイス。
【請求項１３】
前記第３の面はシリコーンからなる請求項１に記載のスキンケアデバイス。
【請求項１４】
ユーザの皮膚を処置するように構成されたスキンケアデバイスであって、
第１の面を有する第１の側、第２の面を有する前記第１の側と実質的に反対の第２の側、および前記第１の側から前記第２の側に延びており、第３の面を有する中間部分を有する本体であって、前記第１の側および前記中間部分は、前記第２の側のほうへ延びている溝を協働して画成し、前記第２の面は突出部のセットを画成し、前記第３の面はシリコーンを備える、本体と、
前記本体内に配設され、前記皮膚を処置するための光を放出するように構成された光源であって、前記第１の側に隣接して前記光を放出するように構成され、前記光源はＬＥＤライトを備える、光源と、
前記本体内に配設され、前記スキンケアデバイスの脈動を生成するように構成されたモータと、
前記本体内に配設された温度制御ユニットであって、前記皮膚を処置するための熱を発生し、前記熱を前記第１の側に伝達するように構成された、温度制御ユニットと、
前記溝の中に挿入されるように構成された取外し可能なロッキング機構であって、プラスチックを備え、実質的に透明である、取外し可能なロッキング機構と、
前記中間部分上に配設されたユーザコントロールであって、前記光源、前記モータ、および前記温度制御ユニットを動作させるように構成された、ユーザコントロールと
を備えるスキンケアデバイス。
【請求項１５】
前記光源は、赤色光、緑色光、および青色光を放出するように構成された請求項１４に記載のスキンケアデバイス。
【請求項１６】
前記第１の側上に配設され、前記ロッキング機構によって前記第１の側上の所定の位置に固定されたフェイシャルマスクをさらに備える請求項１５に記載のスキンケアデバイス。
【請求項１７】
前記本体内に配設されたコントローラおよび前記コントローラに動作可能に接続されたインターフェースをさらに備え、前記インターフェースは、モバイルフォンに情報を送信するように構成された請求項１６に記載のスキンケアデバイス。
【請求項１８】
前記スキンケアデバイスの温度を検出し、それが過熱した場合、前記スキンケアデバイスを停止するように構成された前記本体内に配設された第１のセンサおよび第２のセンサをさらに備える請求項１４に記載のスキンケアデバイス。
【請求項１９】
ユーザの皮膚を処置するように構成されたスキンケアデバイスであって、
第１の面を有する第１の側、第２の面を有する前記第１の側と実質的に反対の第２の側、および前記第１の側から前記第２の側に延びており、第３の面を有する中間部分を有する本体であって、前記第１の側および前記中間部分は、前記第２の側のほうへ延びている環状溝を画成し、前記第２の面は、金属からなる突出部のセットを画成し、前記第３の面はシリコーンを備える、本体と、
前記本体内に配設され、前記皮膚を処置するための光を放出するように構成された光源であって、前記第１の側に隣接して前記光を放出するように構成され、前記光源はＬＥＤライトを備える、光源と、
前記スキンケアデバイスの脈動を生成するように構成された前記本体内に配設されたモータと、
前記本体内に配設された温度制御ユニットであって、前記皮膚を処置するための熱を発生し、前記熱を前記第１の側に伝達して前記皮膚を処置するように構成され、前記皮膚を処置するために前記本体の前記第１の側を冷却するように構成された、温度制御ユニットと、
前記溝の中に挿入されるように構成された取外し可能なロッキング機構であって、プラスチックを備え、実質的に透明である、取外し可能なロッキング機構と、
前記本体内に配設されたコントローラ、および前記コントローラに動作可能に接続され、情報を送信するように構成されたインターフェースと、
前記中間部分上に配設されたユーザコントロールであって、前記光源、前記モータ、および前記温度制御ユニットを動作させるように構成された、ユーザコントロールと
を備えるスキンケアデバイス。
【請求項２０】
光源は、赤色光、緑色光、および青色光を放出するように構成された請求項１９に記載のスキンケアデバイス。
【発明の詳細な説明】
【技術分野】
【０００１】
本開示は、一般にスキンケアデバイスおよび使用方法の分野に関する。より詳細には、本開示は、人間の顔および体への使用に適したスキンケアデバイスおよび同スキンケアデバイスを使用した様々な方法に関する。
【背景技術】
【０００２】
関連出願の相互参照
本出願は、それらの全体が本開示に組み込まれる、２０１７年１１月１６日に出願された米国仮特許出願６２／５８６，９９４号、および２０１８年１０月３０日に出願された米国特許出願第１６／１７５，２６０号の利益を主張する。
【０００３】
皮膚の健康および外観は、多くの美容法の重要な態様である。人は加齢するともに、その人の皮膚は、しわを生じ、垂れ下がり、粗くなり、および／または様々なしみもしくは斑を生じる傾向がある。光療法、振動療法を通してならびに／または熱および低温療法を通してなど、様々な手段を通して皮膚細胞を刺激することは、皮膚に肯定的な効果をもたらすことが可能であることが知られている。そのような肯定的な効果は、たとえば、コラーゲン生成の増加、皮膚炎の低減、座瘡の低減、血流の改善、皮膚の強化、および／または細菌の破壊のうちの１つまたは複数を含み得る。
【０００４】
皮膚に光療法、振動療法、熱療法、または低温療法を提供し得るいくつかのデバイスが存在する。しかしながら、そのようなデバイスは、通常、１つの種類の療法を提供するにすぎない。さらに、これらのデバイスは、しばしば医療オフィスまたは美容院の中にあり、そのようなデバイスの使用は、所望の処置を施すために別の人の支援を必要とする。多くの事例では、療法の施療者は、そのようなデバイスを使用するために（医療もしくは美容委員会などの）州もしくは連邦委員会によってライセンスを与えられるかまたは認可を受けなければならない。さらに、そのようなデバイスの使用はしばしば時間を浪費する。
【発明の概要】
【発明が解決しようとする課題】
【０００５】
したがって、複数の形態の療法（すなわち、光、振動、熱、および／または低温療法のうちの１つまたは複数）を提供し、医療オフィスまたは美容院の範囲外の個人によって迅速かつ容易に使用され得、支援なしに使用され得る、改善されたスキンケアデバイスおよび使用方法の必要が存在する。
【課題を解決するための手段】
【０００６】
様々な例示的なスキンケアデバイスおよび使用方法について説明される。
【０００７】
ユーザの皮膚を処置するように構成された例示的なスキンケアデバイスは、第１の面を有する第１の側、第２の面を有する第１の側と実質的に反対の第２の側、および第３の面を有する第１の側から第２の側に延びている中間部分を有する本体と、本体内に配設され、前記皮膚を処置するための光を放出するように構成された光源であって、第１の側に隣接して光を放出するように構成された、光源と、本体内に配設され、前記スキンケアデバイスの脈動を生成するように構成されたモータと、本体内に配設された温度制御ユニットであって、前記皮膚を処置するための熱を発生し、熱を第１の側に伝達するように構成された、温度制御ユニットと、中間部分上に配設されたユーザコントロールであって、光源、モータ、および温度制御ユニットを動作させるように構成された、ユーザコントロールとを備える。
【０００８】
ユーザの皮膚を処置するように構成された別の例示的なスキンケアデバイスは、第１の面を有する第１の側、第２の面を有する第１の側と実質的に反対の第２の側、および第１の側から第２の側に延びており、第３の面を有する中間部分を有する本体であって、第１の側および中間部分は、第２の側のほうへ延びている溝を協働して画成し、第２の面は突出部のセットを画成し、第３の面はシリコーンを備える、本体と、本体内に配設され、前記皮膚を処置するための光を放出するように構成された光源であって、第１の側に隣接して光を放出するように構成され、光源はＬＥＤライトを備える、光源と、本体内に配設され、前記スキンケアデバイスの脈動を生成するように構成されたモータと、本体内に配設された温度制御ユニットであって、前記皮膚を処置するための熱を発生し、熱を第１の側に伝達するように構成された、温度制御ユニットと、溝の中に挿入されるように構成された取外し可能なロッキング機構であって、プラスチックを備え、実質的に透明である、取外し可能なロッキング機構と、中間部分上に配設されたユーザコントロールであって、光源、モータ、および温度制御ユニットを動作させるように構成された、ユーザコントロールとを備える。
【０００９】
ユーザの皮膚を処置するように構成された別の例示的なスキンケアデバイスは、第１の面を有する第１の側、第２の面を有する第１の側と実質的に反対の第２の側、および第１の側から第２の側に延びており、第３の面を有する中間部分を有する本体であって、第１の側および中間部分は、第２の側のほうへ延びている環状溝を画成し、第２の面は、金属からなる突出部のセットを画成し、第３の面はシリコーンを備える、本体と、本体内に配設され、前記皮膚を処置するための光を放出するように構成された光源であって、第１の側に隣接して光を放出するように構成され、光源はＬＥＤライトを備える、光源と、前記スキンケアデバイスの脈動を生成するように構成された本体内に配設されたモータと、本体内に配設された温度制御ユニットであって、前記皮膚を処置するための熱を発生し、熱を第１の側に伝達して前記皮膚を処置するように構成され、前記皮膚を処置するために本体の第１の側を冷却するように構成された、温度制御ユニットと、溝の中に挿入されるように構成された取外し可能なロッキング機構であって、プラスチックを備え、実質的に透明である、取外し可能なロッキング機構と、本体内に配設されたコントローラ、およびコントローラに動作可能に接続され、情報を送信するように構成されたインターフェースと、中間部分上に配設されたユーザコントロールであって、光源、モータ、および温度制御ユニットを動作させるように構成された、ユーザコントロールとを備える。
【００１０】
請求されるデバイスおよび方法のさらなる理解は、添付の図面を参照しながら、以下で、選択された例の詳細な説明を検討することによって得られるであろう。
【図面の簡単な説明】
【００１１】
【図１】第１の例示的なスキンケアデバイスの斜視図である。
【図２】図１に示されているスキンケアデバイスの分解図である。
【図３】図１に示されているスキンケアデバイスの端面図である。
【図３Ａ】スキンケアデバイスがわずかに回転された、図３に示されているスキンケアデバイスの端面図である。
【図４】線４−４に沿って取られた、図３Ａに示されているスキンケアデバイスの断面図である。
【図５】図１に示されているスキンケアデバイスの別の端面図である。
【図６】図１に示されているスキンケアデバイスの側面図である。
【図７】図１に示されているスキンケアデバイスの別の側面図である。
【図８】図１に示されているスキンケアデバイスの上面図である。
【図９】図１に示されているスキンケアデバイスの底面図である。
【図９Ａ】代替的スキンケアデバイスの底面図である。
【図１０】例示的な一実施形態におけるネットワーク化されたスキンケアデバイスの構成要素を示す図である。
【図１１Ａ】例示的なビューティアクセサリの上面図である。
【図１１Ｂ】図１１Ａに示されているビューティアクセサリの斜視図である。
【図１２Ａ】スキンケアデバイスのロッキング機構が取り外され、スキンケアデバイスの第１の側にわたってビューティアクセサリと位置合わせされた、図１１Ａに示されているビューティアクセサリおよび図１に示されているスキンケアデバイスの斜視図である。
【図１２Ｂ】ビューティアクセサリがスキンケアデバイスの第１の側との接触状態にされ、ロッキング機構が、接触はしていないがスキンケアデバイスの第１の側と位置合わせされた、図１２Ａに示されているビューティアクセサリおよびスキンケアデバイスの斜視図である。
【図１２Ｃ】ロッキング機構を介してスキンケアデバイスの第１の側にフェイシャルマスクが固定された、図１２Ａに示されているビューティアクセサリおよびスキンケアデバイスの上面図である。
【図１２Ｄ】図１２Ｃに示されているビューティアクセサリおよびスキンケアデバイスの斜視図である。
【図１３】第２の例示的なスキンケアデバイスの斜視図である。
【図１４】図１３に示されているスキンケアデバイスの分解図である。
【図１５】図１３に示されているスキンケアデバイスの端面図である。
【図１５Ａ】スキンケアデバイスがわずかに回転された、図１３に示されているスキンケアデバイスの端面図である。
【図１６】線１６−１６に沿って取られた、図１５Ａに示されているスキンケアデバイスの断面図である。
【図１７】図１３に示されているスキンケアデバイスの別の端面図である。
【図１８】図１３に示されているスキンケアデバイスの側面図である。
【図１９】図１３に示されているスキンケアデバイスの別の側面図である。
【図２０】図１３に示されているスキンケアデバイスの上面図である。
【図２１】図１３に示されているスキンケアデバイスの底面図である。
【図２２】第３の例示的なスキンケアデバイスの斜視図である。
【図２３】図２２に示されているスキンケアデバイスの端面図である。
【図２４】図２２に示されているスキンケアデバイスの別の端面図である。
【図２５】図２２に示されているスキンケアデバイスの側面図である。
【図２６】図２２に示されているスキンケアデバイスの別の側面図である。
【図２７】図２２に示されているスキンケアデバイスの上面図である。
【図２８】図２２に示されているスキンケアデバイスの底面図である。
【図２９】スキンケアデバイスおよびビューティアクセサリを使用する例示的な方法のフローチャート表現である。
【図３０】スキンケアデバイスの真正性を検証する例示的な方法のフローチャート表現である。
【００１２】
図は、説明のみのために本発明の様々な実施形態を示している。当業者は、以下の議論から、本明細書に示されている構造および方法の代替的実施形態が、本明細書で説明される本発明の原理から逸脱することなく採用され得ることを容易に認識されよう。
【発明を実施するための形態】
【００１３】
以下の詳細な説明および添付の図面は、様々なスキンケアデバイスおよび使用方法を説明および図示する。説明および図面は、１つまたは複数の例示的なスキンケアデバイスを当業者が製作および使用することを可能にするために提供される。それらは、いかなる様式でも特許請求の範囲を限定することを意図されない。
【００１４】
本明細書で使用されるとき、「熱療法（heat therapy）」および「加熱療法（heating therapy）」という用語は、スキンケアデバイスの機能により室温を上回る温度を有するスキンケアデバイスの一部との皮膚の接触を介してユーザの皮膚に療法を提供することを指す。
【００１５】
本明細書で使用されるとき、「低温療法（cool therapy）」および「冷却療法（cooling therapy）」という用語は、スキンケアデバイスの機能により室温を下回り、および／またはスキンケアデバイスの同じ部分が熱／加熱療法を提供するときにその部分よりも温度が低い温度を有するスキンケアデバイスの一部との皮膚の接触を介してユーザの皮膚に療法を提供することを指す。
【００１６】
図１、図２、図３、図３Ａ、図４、図５、図６、図７、図８、および図９は、例示的なスキンケアデバイス２を示す。スキンケアデバイス２は、（以下で説明される）いくつかの構成要素を含む本体１０を備える。本体１０は、少なくとも第１の側２０、第２の側３０、第１の側２０から第２の側３０に延びている中間部分４０、および支持部材１４を含む。それはまた、構成要素の中でも、光源１００、モータ８０、および温度制御ユニット１１０を含む。
【００１７】
第１の側２０は、（以下でより詳細に説明される）パネル６２の少なくとも一部分からなる。より詳細には、それは、ユーザの顔に接触するかまたは顔に隣接するように設計されたパネル６２の上側部分６６からなる。上側部分６６は、ユーザに処置を提供するためにユーザに直接または間接的に接触し得る。したがって、第１の側２０への参照は、必ずパネル６２を参照することが理解されよう。図示の実施形態では、パネル６２は、好適な材料からなり、スキンケアデバイス２およびその様々な構成要素に少なくとも何らかの構造的支持を提供する。上側部分６６は、この実施形態では金属からなり、したがって、第１の側２０は、少なくとも部分的に、この実施形態では金属からなる。第１の側２０はまた、形状が実質的に円形であり、パネル６２の上側部分６６によって画成された、面２２を画成する。面２２は、スキンケアデバイス２が使用中であるときにユーザに熱および／または低温療法を提供する。それはまた、ユーザに振動療法を伝えることができる。
【００１８】
第２の側３０は、（以下でより詳細に説明される）温度交換構成要素１１２の少なくとも一部分からなる。より詳細には、それは、ユーザによって接触されるように設計された温度交換構成要素１１２の一部分からなる。したがって、第２の側３０への参照は、必ず温度交換構成要素１１２を参照することが理解されよう。図示の実施形態では、温度交換構成要素１１２は、好適な金属からなる面３２を画成する。温度交換構成要素１１２は、同様に、スキンケアデバイス２およびその様々な構成要素に構造的支持を提供する。したがって、第２の側３０は、少なくとも部分的に、この実施形態では金属からなる。面３２を備えない温度交換構成要素１１２の部分は、プラスチックまたは任意の他の好適な材料からなり得る。プラスチックからなる部分は、面３２と実質的に反対に配設された、その近位端３１を含み得る。近位端３１は、以下で説明されるように、支持部材１４に取り付けられるかまたはそれに接続され、同支持部材１４に固定されることが可能である。
【００１９】
中間部分４０は、第１の側２０と第２の側３０との間に配設された環状部材４１からなる。より詳細には、中間部分４０は、スキンケアデバイス２が使用中であるときにユーザによって保持されるように設計された環状部材４１の一部分からなる。そのような事例では、第１の側２０（または、いくつかの実施形態では、第２の側３０）は、環状部材４１がユーザによって保持されている間、ユーザの皮膚に隣接するかまたはそれと接触している。したがって、中間部分４０への参照は、環状部材４１を参照することが理解されよう。図示の実施形態では、環状部材４１は、第１の側２０および第２の側３０に隣接して配設され、皮膚に直接接触し得る材料からなる。この実施形態では、ユーザに接触することになる環状部材４１の面４２（および、したがって、中間部分４０）は、シリコーンからなり、支持部材１４に隣接しておよびそれと接触して配設される。様々な実施形態では、環状部材は、接着剤または１つまたは複数の機械的取り付けを介して支持部材に取り付けられ得る。いくつかの実施形態では、シリコーンは、医療グレードおよび／または特別に作成された、超衛生的なシリコーンであり得る。異なる実施形態では、環状部材は、任意の好適な形状を有してよく、環状でないことがある。
【００２０】
本体１００はまた、近位端１５および遠位端１６を有する支持部材１４を含み、遠位端１６は、近位端１５よりも、温度交換構成要素１１２の近くに配設される。支持部材１４は、実質的にディスク形であり、プラスチックを含む任意の好適な材料からなり得る。支持部材１４は、温度交換構成要素１１２の近位端３１に取り付けられ、および／または接続し、環状部材４１に接触するように構成される。支持部材１４および温度交換構成要素１１２は、スキンケアデバイス２内に配設された様々な構成要素に支持を協働して提供し、スキンケアデバイス２にその形状を与えるのを助ける。様々な実施形態では、支持部材は、スナップフィット構造、接着剤、または機械的取り付けを介して温度交換構成要素に取り付けられ、または接続し得る。支持部材および温度交換構成要素はまた、いくつかの実施形態ではコントローラの一部分がその中を通過し得る通路を協働して画成し得る。温度交換構成要素および／または支持部材の一方または両方は、他の実施形態では、同様に、フレームおよび／またはパネルの一方または両方に取り付けられ、または接続し得る。
【００２１】
当業者は、デバイスの所望の機能およびデバイスが処置するように設計された体の部分を含む様々な考慮事項に基づいて、特定の例による本体およびスキンケアデバイスの様々な部分のために好適な形状、サイズ、および材料を選択することが可能である。一例では、本体全体および／またはその様々な部分は、プラスチック、アルミニウム、シリコーン、および／または任意の他の好適な材料からなり得る。別の例では、第１の側、第２の側、および／または中間部分のうちの１つまたは複数は、輪、球、円、方形、矩形、円筒、円錐、およびピラミッドの形状を含む、任意の好適な形状を有し得る。別の実施形態では、第１の側は、アルミニウム、アルミニウム合金、亜鉛合金、ステンレス鋼、銅、セラミック、および熱伝導のために構成された他の材料を含む、任意の好適な材料からなり得る。異なる実施形態では、第２の側は、アルミニウム、亜鉛合金、アルミニウム合金、ステンレス鋼、銅、セラミック、および熱伝導のために構成された他の材料を含む、好適な材料のいずれかからなり得る。他の実施形態では、中間部分は、シリコーン化合物、プラスチック、ゴム、および他の同様の材料を含む、任意の好適な材料からなり得る。様々な実施形態では、環状部材は、プラスチックおよび／または金属を含む、任意の好適な材料からなり得る。第１の側、第２の側、中間部分、および環状部材は、任意の好適な形状をも有し得る。さらに、環状部材、または温度交換構成要素の関係する部分は、様々な実施形態では第１の側、第２の側、または中間部分のうちの１つまたは複数に隣接することを含む、スキンケアデバイス上の任意の位置に配設され得る。スキンケアデバイスの部分は、異なる実施形態では異なるサイズを有し得る。たとえば、様々な実施形態では、第１の側は、約２センチメートル（「ｃｍ」）と約２０ｃｍとの間、約４ｃｍと約１５ｃｍとの間、および約６ｃｍと約１０ｃｍとの間の直径を有し得る。他の実施形態では、第２の側は、約２ｃｍと約２０ｃｍとの間、約４ｃｍと約１５ｃｍとの間、および約６ｃｍと約１０ｃｍとの間の直径を有し得る。異なる実施形態では、中間部分は、約２ｃｍと約２０ｃｍとの間、約４ｃｍと約１５ｃｍとの間、および約６ｃｍと約１０ｃｍとの間の（第１の側から第２の側に延びている）高さを有し得る。
【００２２】
第１の側２０および中間部分４０は、第２の側３０のほうへ延びる溝２４を協働して画成する。溝２４は、支持部材１４の近位端１５に隣接する。溝２４は、第１の側２０の平坦な内部部分２３を囲み、その基部において環状部材４１およびフレーム８２によって画成される。溝２４は、面２２に隣接する上側開口２６を含む。上側開口２６は、図示の実施形態では実質的に円形である。したがって、第１の側２０によって画成される溝２４は実質的に環状であるが、それは、第１の側２０と、内側部分２３から離れて延びる中間部分４０とによって協働して画成されたカットアウト２９に当接する。溝２４は、溝２４内にロッキング機構５０を格納し、所定の位置にロックするように構成される。さらに、溝２４は、面２２に対して遠位に配設された光源１００が、溝２４の中におよびそれを通って光を放出することが可能であるように配設される。当業者は、溝およびロッキング機構の所望の形状およびサイズ、ならびに光源がデバイス中に含まれるかどうかを含む様々な考慮事項に基づいて、特定の例による溝をどのように適切に構成すべきかを決定することが可能である。他の実施形態では、溝および／またはその開口は、三角形、方形、矩形、五角形であるか、または任意の他の形状を有し得る。他の実施形態では、第１の側と中間部分の一方または両方は、単独でまたは互いに協調して、０個、１つ、２つ、３つまたは４つ以上の溝を形成し得る。様々な実施形態では、溝は、約．１ｃｍと約５ｃｍとの間、約．５ｃｍと約４ｃｍとの間、および約１ｃｍと約３ｃｍとの間の直径を有し得る。異なる実施形態では、溝は、約．１ｃｍと約５ｃｍとの間、約．５ｃｍと約４ｃｍとの間、および約１ｃｍと約３ｃｍとの間の高さを有し得る。
【００２３】
光源１００は、本体１０によって画成された（以下で説明される）キャビティ１２内に配設され、特に、それは、（以下でより詳細に説明される）コントローラ７０に取り付けられ、（個々のライト１０２ａ、１０２ｂ、１０２ｃ、１０２ｄを含む）いくつかのライト１０２からなる。ライト１０２の各々は、コントローラ７０から第１の側２０のほうへ延びる。光源１００は、アクティブにされたとき、光源１００のライト１０２が、溝２４の中におよび第１の側２０に隣接するいずれかの材料または体の部分の上に光を放出するように、溝２４に隣接しておよび面２２の下に配設される。図示の実施形態では、光源１００は、青色光、赤色光、および／または緑色光のうちの１つまたは複数を放出するように構成されたいくつかの発光ダイオードライト（以下、「ＬＥＤライト」）を備える。上述されたように、人間の皮膚へのこれらの様々なタイプの光の放出は、知られている利益を有する。青色ＬＥＤ光は、たとえば、細菌の破壊を助けることが知られている。赤色ＬＥＤ光は、皮膚のテクスチャおよびトーンを改善し、コラーゲンを刺激し、皮膚の修復を加速することが知られている。緑色ＬＥＤ光は、皮膚変色を低減し、皮膚を強化するのを助けることが知られている。これらおよび他の光は、同様に、他の知られている利益を有する。当業者は、デバイスのサイズおよび形状ならびに光源によって放出されるべき光のタイプを含む様々な考慮事項に基づいて、特定の例による特定のスキンケアデバイスのために好適な光源を選択することが可能である。別の例では、光源は、青色光、赤色光、または緑色光のうちの１つまたは複数のみを放出し得る。代替例では、光源はまた、白色、黒色、黄色、紫色、ピンク色、シアン、および橙色光のうちの１つまたは複数を放出し得る。他の実施形態では、光源は、ＬＥＤライトではなく、任意のタイプのライトからなり得る。様々な実施形態では、光源は、１つ、２つ、３つ、４つ、５つ、６つ、７つ、８つ、または９つ以上の個々のライトを備え得る。異なる実施形態では、光源は、物理的取り付けまたは接着剤を介してコントローラまたは任意の他の構成要素に取り付けられてよいか、代替として、様々なライトは、任意の好適な機構を介して複数の他の構成要素上に配設されてよい。いくつかの実施形態では、個々のライトは単一の色のみを放出することがあり、他の実施形態では、個々のライトは、１つ、２つ、３つ、４つ、または５つ以上の色を放出することがある。さらに、ライトは、異なる実施形態では、ボックス、円筒、ピラミッド、球、および他の好適な形状を含む異なる形状を有し得る。
【００２４】
上述されたように、ロッキング機構５０は、溝２４の中に挿入され、その内に格納されるように構成される。ロッキング機構５０は、実質的に環状であり、実質的に透明であり、したがって、光源１００によって放出された光は、ロッキング機構５０を通って、第１の側２０に隣接する材料またはユーザ上に進む。実際、ロッキング機構５０は、ユーザの皮膚がＬＥＤ光の利益を獲得するのをそれが妨げないように十分に透明であり、ＬＥＤ光は、ロッキング機構５０を通って受け取られることが可能である。ロッキング機構５０が溝２４内に配設されるとき、その第１の側５４は、溝２４の基部のより近くに配設されたその反対の第２の側５６よりも、面２２の近くに配設される。
【００２５】
ロッキング機構５０は、溝２４の中に繰り返し挿入され、それから取り外されるように特に構成され、したがって、それは、スキンケアデバイス２のユーザがフィットを経験するのと同じくらい頻繁に、溝２４の中に挿入され、それから取り外されることが可能である。ロッキング機構５０は、溝２４内に確実に格納されるために、さらなる機構またはデバイスの支援を必要としない。さらに、ロッキング機構５０は、ロッキング機構５０が溝２４内に配置されたとき、スキンケアデバイス２によって画成されたカットアウト２９にわたって配設されるように構成された、その中心から離れて延びている延長部５２を含む。延長部５２は、ユーザが延長部５２を把持することによってスキンケアデバイス２からロッキング機構５０を容易に取り外すことを可能にするために、カットアウト２９にわたって配設される。ロッキング機構５０はまた、（以下で説明される）ビューティアクセサリが溝２４内に挿入されたとき、ロッキング機構５０が、ビューティアクセサリの一部分にわたって溝２４の中にやはり確実に挿入され、ビューティアクセサリを所定の位置に保持し得るように構成される。当業者は、溝と所定の位置にロックされるべきビューティアクセサリとの形状およびサイズを含む様々な考慮事項に基づいて、特定の例による好適なロッキング機構を選択することが可能である。他の実施形態では、ロッキング機構は、プラスチック、シリコーン、または任意の他の透明で堅固な材料を含む、任意の材料からなり得る。異なる実施形態では、ロッキング機構は、延長部を含まないことがあるか、または２つ、３つ、もしくは４つ以上の延長部を含み得る。様々な他の実施形態では、ロッキング機構は、円錐形、円筒形、ピラミッド形、三角形、矩形、および方形を含む、任意の形状を有し得る。代替的実施形態では、スキンケアデバイス内にロッキング機構を固定するために接着性または機械的構成要素が使用され得る。
【００２６】
第２の側３０の面３２は、面３２から離れて延びる突出部３４のセットを画成する。突出部３４のセットの各突出部は、図示の実施形態では第２の側３０（および、したがって、温度交換構成要素）と一体的に形成されている。突出部３４のセットの各突出部は、図示の実施形態では同様に面３２と同じ材料からなる。しかしながら、他の実施形態では、突出部のセットは、何らかの機械的取り付けを介しておよび／または接着剤の使用を介して第２の側に取り付けられ得る。代替として、他の実施形態では、突出部のセットのいくつかの突出部は第２の側と一体的に形成されてよく、他の突出部は第２の側に取り付けられてよい。
【００２７】
突出部３４のセットの各突出部は、直径を有する上面３４ａを含む。図示の実施形態では、様々な上面３４ａの直径は均一でない。概して、第２の側３０の面３２の中心部分３６により近い突出部３４のセットの突出部の上面３４ａは、中心部分３６からより遠くの、および中間部分４０の下側部分４６により近くの突出部３４のセットの突出部の上面３４ａよりも小さい直径を有する。さらに、第２の側３０の中心部分３６は突出部を含まない。突出部３４のセットの突出部は第２の側３０の面エリアを増加させるのを助け、このことは、スキンケアデバイス２が、必要に応じてより効率的で迅速にスキンケアデバイス２から離れて熱を伝達することを可能にする。しかしながら、様々な実施形態では、突出部のセットは任意の材料からなってよく、任意の位置合わせを有し得る。当業者は、第２の側のサイズおよび形状ならびにデバイスの所望の機能を含む様々な考慮事項に基づいて、特定の例による好適な突出部の材料および位置合わせを選択することが可能である。様々な実施形態では、第２の側の突出部および／または面は、亜鉛合金、アルミニウム合金、ステンレス鋼、銅、セラミック、および熱伝導のために構成された他の材料を含む、任意の好適な金属からなり得る。他の実施形態では、突出部は、金、ニッケル、白金、および／または別の同様の材料で被覆され得る。異なる実施形態では、いくつかの突出部は第１の材料からなり得るが、他の突出部は第２の材料からなる。様々な他の実施形態では、第２の側のいずれかの部分は、第２の側の面の約５％と約９０％との間、第２の側の面の約２５％と約７０％との間、および第２の側の面の約４０％と約５５％との間を含む突出部を含み得る。さらに、別の実施形態では、中心は突出部を含み得るか、または、それが突出部を含まない場合、ロゴもしくはシンボルを含み得る。様々な実施形態では、突出部のセットの１つまたは複数の突出部は、約０．１ミリメートル（「ｍｍ」）と約６ｃｍとの間の高さ、約２ｍｍと約３ｃｍとの間の高さ、および約５ｍｍと約１ｃｍとの間の高さを有し得る。様々な実施形態では、突出部のセットの１つまたは複数の突出部は、約０．０１ｍｍと約５ｃｍとの間の直径、約０．１ｍｍと約２．５ｃｍとの間の直径、および約．５ｍｍと約１ｃｍとの間の直径を有し得る。別の実施形態では、突出部のセットの各突出部はシリコーンからなってよく、それは、第２の側の全部または一部をさらに備え得る。他の実施形態では、第２の面は、リッジ、ウェーブ、ピラミッド形突出部、楕円形突出部、および他の好適な構成要素を画成し得る。
【００２８】
図９Ａに示されている代替的スキンケアデバイス２’では、第２の側３０’の面３２’は、面３２’から離れて延びる異なる長さのウェーブ３４’のセットを含む。ウェーブ３４’のセットのウェーブは、亜鉛合金などの金属からなり、必要に応じて迅速で効率的に第２の側３０’からの熱を（図に示されていない）第１の側から離れて伝達するように構成され、ウェーブ３４’のセットによって提供される増加された面エリアは、そのようにするのを助ける。代替として、ウェーブ３４’のセットのウェーブは、セラミックからなり得る。ウェーブ３４’のセットは、ウェーブなしの中心３６’が第２の面３２’の中央に形成されることを保証するように構成される。ロゴまたはシンボルが中心３６’に置かれてよい。図示の実施形態では、ウェーブのセットのウェーブは長さが異なる。しかしながら、他の実施形態では、各ウェーブは同じ長さを有し得る。ウェーブのセットのウェーブの数は、異なる実施形態によって異なってもよい。当業者は、第２の側のサイズおよび形状ならびにデバイスの機能を含む様々な考慮事項に基づいて、特定の例による好適なウェーブの材料および位置合わせを選択することが可能である。様々な実施形態では、ウェーブは、亜鉛合金、アルミニウム、アルミニウム合金、銅、ステンレス鋼、セラミック、または任意の他の好適な材料からなり得る。他の実施形態では、ウェーブは、金、ニッケル、銅、または任意の他の好適な材料で被覆され得る。異なる実施形態では、いくつかのウェーブは第１の材料からなり得るが、他のウェーブは第２の材料からなる。様々な他の実施形態では、第２の側のいずれかの部分は、第２の側の面の約５％と約９０％との間、第２の側の面の約２５％と約７０％との間、および第２の側の面の約４０％と約５５％との間を含むウェーブを含み得る。さらに、別の実施形態では、中心はウェーブを含み得る。
【００２９】
上述されたように、本体１０は、様々な構成要素を格納するように構成されたキャビティ１２を画成する。キャビティ１２は、パネル６２、温度交換構成要素１１２、フレーム８２、および支持部材１４を含む、第１の側２０、第２の側３０、および中間部分４０を画成している様々な構成要素によって協働して画成される。
【００３０】
本体１０のキャビティ１２内に格納される１つの構成要素は、電源６０である。電源６０は、（以下で説明される光源１００およびその他などの）スキンケアデバイス２の様々な構成要素に動作可能に接続され、それらが効率的で適切に機能し得るようにそれらに電力を提供する。電源６０は、図示の実施形態では再充電可能なリチウムイオンバッテリを備え、図５に最も良く示されているＤＣジャック６８などの充電ポートを通して充電され得る。電源６０は、バッテリ６０がその中に格納されたスロット６４を画成しているパネル６２内に格納される。パネル６２は、（以下で説明される）温度制御ユニットから第１の側２０と第２の側３０の一方または両方に熱を伝導および／または除去するのを助ける。パネル６２はまた、スキンケアデバイス２内の所定の位置に電源６０を固定する。さらに、パネル６２は、上記で説明されたように、面２２を含む、第１の側２０の少なくとも一部分を画成する上側部分６６を含む。当業者は、スキンケアデバイス内に格納される様々な構成要素およびスキンケアデバイスの所望の寸法を含む様々な考慮事項に基づいて、特定の例による好適な電源およびパネルを選択することが可能である。他の実施形態では、電源は、１つ、２つ、３つ、または４つ以上の交換可能な乾電池を備え得る。異なる実施形態では、電源は、１つまたは複数のリチウムポリマーバッテリからなり得る。様々な実施形態では、パネルは、アルミニウム、アルミニウム合金、亜鉛合金、銅、ステンレス鋼、金、銀、セラミック、および他の好適な材料を含む、任意の好適な材料からなり得る。追加の実施形態では、光源は、電源が正常に充電中であるおよび／または完全充電を保つことを示すために、赤色光、青色光、ピンク色光、および／または緑色光のうちの１つまたは複数を放出することがあり、そのような一例では、光源は、デバイスが充電中であることを示すために円運動で溝を通って回転する白色光を放出し、デバイスから放出される中実の紫色光は、デバイスが完全に充電されたことを示す。他の実施形態では、パネルの一部分は熱フィルムまたはペーストで被覆されてよく、これらは、使用中のときにスキンケアデバイスによって発生される熱から電源を保護するのを助ける。様々な実施形態では、パネルの上側部分および／または面は、約２ｃｍと約１５ｃｍとの間、約４ｃｍと約１２ｃｍとの間、および約６ｃｍと約９ｃｍとの間の直径を有し得る。
【００３１】
電源６０は、本体１０によって画成されるキャビティ１２内に同じく格納されたコントローラ７０に電力を提供する。コントローラ７０は、光源１００、モータ８０、および温度制御ユニット１１０の各々に動作可能に接続され、これらの構成要素の各々に命令を提供する。コントローラ７０は、中間部分４０上に配設され、コントローラ７０に動作可能に接続された、ユーザコントロール７２によってアクティブにされる。図示の実施形態におけるコントローラ７０は、プリント回路板アセンブリ（「ＰＣＢＡ」）および関係する回路を含む。しかしながら、他の実施形態では、コントローラは、プリント回路板（「ＰＣＢ」）など、スキンケアデバイスの構成要素を制御するのに好適な任意のデバイス、または情報を通信するための任意の他の好適なコンピュータもしくは機構を備え得る。さらに、コントローラ７０は、（以下でより詳細に説明される）それが第２のデバイスと通信することを可能にする、インターフェース９０に動作可能に接続され得る。
【００３２】
ユーザコントロール７２は、押下されたとき、スキンケアデバイス２をアクティブにするボタンを備える。ユーザコントロール７２の繰り返されるおよび／または特定のタイプの使用は、（以下でより詳細に説明される）ユーザがスキンケアデバイス２の様々な動作モードを巡回することを可能にする。ユーザコントロール７２によってアクティブにされ得る潜在的振動モードは、たとえば、低周波数モード、高周波数モード、確率論的モード、および交番周波数モードを含み得る。さらに、光放出の様々なパターン、加熱パターン、および冷却パターンは、ユーザコントロール７２を介してユーザによって選択され得る。当業者は、所望のモードの数および本体を備える材料を含む様々な考慮事項に基づいて、デバイス上にユーザコントロールを適切に置き、特定の例に従って同ユーザコントロールを構成することが可能である。他の実施形態では、ユーザコントロールは、本体の任意の側の上に配設され得る。異なる実施形態では、スキンケアデバイスは、０個、２つ、３つ、または４つ以上のユーザコントロールを備え得る。追加の実施形態では、ユーザコントロールは、個々の構成要素および／またはアクションを制御するように構成された別個のユーザコントロールを含み得る。
【００３３】
モータ８０は、本体１０内に配設され、電源６０およびコントローラ７０に動作可能に接続される。モータ８０は、本体１０内のフレーム８２内に配設される。フレーム８２は、モータ８０を支持し、本体１０内の特定のロケーションにおいてモータ８０を固定されたままに保ち、ならびにスキンケアデバイス２に全般的な構造的支持を提供するように構成される。特に、フレーム８２は、モータ８０がその中に配設されるスロット８６を画成するアーム８４を含む。アーム８４（およびスロット８６）は、フレーム８２の本体８３から離れて第２の側３０のほうへ延び、アーム８４の（図に示されていない）内面がモータ８０を固定し、それを所定の位置に保持することを可能にする。モータ８０は、第１の側２０に実質的に隣接して配設され、したがって、その振動は、第１の側２０を介してユーザに効率的に伝えられ得る。フレーム８２の少なくとも一部分は、その近位端８８を含めて、実質的に透明プラスチックからなる。したがって、フレーム８２の近位端８８は、光源１００によって発生された光が、比較的妨げられないでフレーム８２の近位端８８および面８９を通過することを可能にする。
【００３４】
コントローラ７０は、電源６０によって電力供給されるモータ８０に命令を提供する。様々な実施形態ではスキンケアデバイスを振動させる脈動を生じるために高周波数または低周波数モータ８０が使用され得る。この実施形態におけるモータ８０は、皮膚の有益な処置を提供し得る周波数の範囲を生成するように構成される。スキンケアデバイス２、および特に第１の側２０が、顔または首などの体に印加されたとき、モータ８０は皮膚に振動を提供する。当業者は、スキンケアデバイスのサイズおよび形状ならびにデバイスの所望の振動強度を含む様々な考慮事項に基づいて、好適なモータ、フレーム、および振動範囲を選択することが可能である。振動周波数の好適な範囲の例は、約８０ヘルツ（「Ｈｚ」）と約２００Ｈｚとの間の振動周波数、約１００Ｈｚと約１８０Ｈｚとの間の振動周波数、および約１２０Ｈｚと約１５０Ｈｚとの間の振動周波数を含む。別の実施形態では、スキンケアデバイスは２つ以上のモータを含み得る。別の実施形態では、モータは確率論的であり得る。他の実施形態では、フレームは省略され得る。異なる実施形態では、フレームは、スロットまたはアームを含まないことがあるが、代わりにその本体内にデバイスを完全に格納し得る。いくつかの実施形態では、２つ以上のモータがあってよく、複数のモータを含んでいる実施形態では、モータは周波数出力が互いに異なってよい。
【００３５】
コントローラ７０はまた、コントローラ７０の構成要素であるインターフェース９０を制御する。インターフェース９０は、スキンケアデバイス２が、（図に示されていない）パーソナルコンピュータ、タブレット、携帯電話、または他の電子デバイスなど、第２のデバイスと通信することを可能にする。インターフェース９０を使用して、スキンケアデバイス２は他のデバイスに情報を送ることができ、それにより、他のデバイスは、スキンケアデバイス２の使用に関係するデータを収集し得る。さらに、スキンケアデバイス２は別のデバイスから制御信号を受信してよく、この制御信号は、他の命令の中でも、スキンケアデバイス２がオンもしくはオフになるべきこと、速度を増加もしくは減少させるべきこと、異なる振動、照明、加熱もしくは冷却パターンに切り替わるべきこと、および／またはユーザによって所望されるかもしくは他のデバイスによって推奨されるプリセットパターンに切り替わるべきことを示すことができる。インターフェース９０は、スキンケアデバイス２と第２のデバイスとの間で制御信号を送信するワイヤレストランシーバなど、有線または無線インターフェースであることが可能である。当業者は、スキンケアデバイスが通信するデバイスならびに本体のサイズおよび形状を含む様々な考慮事項に基づいて、好適なインターフェースを選択することが可能である。いくつかの実施形態では、インターフェースは、スキンケアデバイスと他のデバイスとの間で無線周波数（「ＲＦ」）信号を送信および受信するために使用されるＲＦトランシーバである。使用され得るＲＦトランシーバの一例は、低電力２．４ＧＨｚ  ＲＦトランシーバである。様々な実施形態では、スキンケアデバイスはまた、スキンケアデバイスと他のデバイスとの間で信号を送信および受信するためのアンテナを含み得る。そのような例では、インターフェースは、スキンケアデバイスと別のデバイスとの間でワイヤレスに情報を送信するためにＢＬＵＥＴＯＯＴＨ（登録商標）、Ｗｉ−Ｆｉ、赤外線、レーザー光、可視光、音響エネルギー、またはいくつかの他の方法のうちの１つを使用することができる。別の実施形態では、コントローラは、以下でより十分に説明され、図３０に示されているように、スキンケアデバイスの真正性を確認するために別のデバイスと特に通信することができる。
【００３６】
いくつかの実施形態では、スキンケアデバイスは、第２のデバイスを介してネットワークに接続される。他の実施形態では、スキンケアデバイスは、無線ルータまたは携帯電話ネットワークに直接接続され、上記の様式のうちのいずれかで第２のデバイスと接続し得る。したがって、スキンケアデバイスは、パーソナルコンピュータ、タブレット、携帯電話、または他の好適な電子デバイスを介して制御されることが可能であり、ユーザは、それらのパーソナルコンピュータ、タブレット、電話、または他のデバイスを使用している。図１０はそのような設計の一例を示している。
【００３７】
図１０は、例示的な実施形態による、スキンケアデバイス２など、ネットワーク化されたスキンケアデバイスの構成要素を示す図である。この実施形態では、スキンケアデバイスは、コントローラ７０などのコントローラ、モータ８０などのモータ、光源１００などの光源、温度制御ユニット１１０などの温度制御ユニット、およびインターフェース９０などのインターフェースを含む。上記で説明されたように、スキンケアデバイスは、パーソナルコンピュータ、タブレット、携帯電話、もしくは他の電子デバイスを介してネットワークに接続されることが可能であるか、または無線ルータまたは携帯電話ネットワークに直接接続されることが可能である。したがって、スキンケアデバイスは、上述の機構を介してパーソナルコンピュータ、タブレット、携帯電話、または他の電子デバイスによって制御され、それらにデータを送信し、および／またはそれらからデータを受信することが可能である。インターフェースは、ワイヤードまたはワイヤレスであってよく、上記で説明されたもののいずれかを含み得る。当業者は、スキンケアデバイスを他のデバイスと適切に接続することのデザイアビリティ、およびそれへの接続が有益になるであろうデバイスを含む様々な考慮事項に基づいて、どのようにそれをすべきかを決定することが可能である。いくつかの実施形態では、スキンケアデバイスはインターフェースを含まないことがあり、したがって、他のデバイスと通信しないことがある。異なる実施形態では、スキンケアデバイスは他のデバイスにデータを送信のみすることがあり、それはどんなデータも受信しないことがあり、この実施形態では、上記の他のデバイスを介して制御されることが不可能である。
【００３８】
スキンケアデバイスがパーソナルコンピュータ、タブレット、携帯電話、または他の電子デバイスのうちの１つまたは複数に通信し得る例示的なデータは、スキンケアデバイスの使用の数、スキンケアデバイスの様々な使用の持続時間、ユーザの好ましいスキンケアデバイス設定、およびデバイスの使用に関係する様々な他のタイプの情報を含み得る。
【００３９】
上述されたように、スキンケアデバイス２はまた、図示の実施形態では電源６０およびコントローラ７０の各々に動作可能に接続された、温度制御ユニット１１０を含む。温度制御ユニット１１０は、したがって、電源６０から電力を受け取り、コントローラ７０から操作命令を受け取る。様々な実施形態では、任意の好適な材料および／または構成要素が温度制御ユニットを備え得る。温度制御ユニットを備え得る好適な材料の例は、銅合金、ポリイミド、セラミック、および他の好適な材料を含む。温度制御ユニットは、いくつかの実施形態では正の温度係数サーミスタを備え得る。
【００４０】
温度制御ユニット１１０は、実質的にボックス形であり、本体１０のキャビティ１２内の温度交換構成要素１１２に隣接して配設される。温度交換構成要素１１２は、温度制御ユニット１１０をスキンケアデバイス２内の所望の位置に固定するのを助ける。温度制御ユニット１１０はまた、第１の側２０に十分に隣接して配設され、したがって、その熱吸収および／または解放は、パネル６２の上側部分６６のほうへおよび／またはそれから離れて容易に流れ得る。図示の実施形態では、温度交換構成要素１１２は、スキンケアデバイス２が過熱するのを防ぐのを助けるように構成されたヒートシンクとして働くことができるが、他の実施形態では、任意の好適なユニットまたは構成要素が温度交換構成要素を備え得る。当業者は、本体の第１の側および第２の側を備える材料ならびにスキンケアデバイスの所望の機能を含む様々な考慮事項に基づいて、特定の例による好適な温度制御ユニットおよび好適な温度交換構成要素を選択することが可能である。異なる実施形態では、１つまたは複数のヒートシンクが、温度交換構成要素とともに使用されることが可能である。様々な実施形態では、温度交換構成要素は、銅、銅合金、アルミニウム、アルミニウム合金、ダイヤモンド、ステンレス鋼、セラミック、および他の好適な材料を含む、任意の好適な材料からなり得る。様々な他の実施形態では、温度制御ユニットおよび温度交換構成要素の各々ならびにその様々な部分は、球、ボックス、卵形、ピラミッド、環状、三角形、矩形、および／または円形を含む、任意の好適な形状を有し得る。
【００４１】
温度制御ユニット１１０は、それが、コントローラ７０による命令の後に、スキンケアデバイス２の第１の側２０および第２の側３０から熱を吸収しおよび／またはそれらのほうへ熱を解放することが可能であるように構成される。温度制御ユニット１１０は、スキンケアデバイス２の様々な構成要素によって送られた様々な電気信号および／またはそれらによって発生された電界に基づいて、コントローラ７０によって命令されるように、それが各デバイスの端部上で熱を吸収および／または解放することを可能にする、異なるタイプの導体を含む。これは、第１の端部２０および第２の端部３０により近い温度制御ユニットの部分が、スキンケアデバイス２の様々な構成要素によって提供される電流の方向に基づいてコントローラ７０の命令通りに熱を吸収および／または解放することを可能にする。
【００４２】
動作中、電源６０およびコントローラ７０は、電源６０、コントローラ７０、および温度制御ユニット１１０を接続している回路を介して温度制御ユニット１１０に電流、電力、および指示を提供する。命令および電力が受信されると、温度制御ユニット１１０は、その遠位端１０９から熱を吸収し、その近位端１０８を介して第１の側２０のほうへそれを解放することができ、このことは、スキンケアデバイス２が動作中でないときと比較して第１の側２０が加熱されることを可能にする。そのような解放は、ユーザに熱療法を提供する。温度制御ユニット１１０はまた、その近位端１０８を介して熱を吸収し、その遠位端１０９を介して、特に、温度交換構成要素１１２を介して第１の側２０から離れてそれを伝達することができる。これは、スキンケアデバイス２が動作中でないとき（または、いくつかの実施形態では、熱療法を提供するために熱が第１の端部を通して解放されるとき）と比較して第１の側２０が冷却されることを可能にする。
そのようにすることは、ユーザに低温療法を提供する。
【００４３】
より詳細には、ユーザが熱療法を望むとき、温度制御ユニット１１０は、その遠位端１０９を介して熱を吸収し、その近位端１０８を介して上記の熱を、それが隣接するパネル６２のほうへ解放し、次いで、パネル６２は、熱を第１の側２０の面に伝導および伝達する。逆に、ユーザが低温療法を望むとき、温度制御ユニット１１０は、その近位端１０８を介して熱を吸収し、その遠位端１０９を介して上記の熱を、それが隣接する温度交換構成要素１１２のほうへ解放する。これは、第１の側２０から離れて熱を伝達し、スキンケアデバイス２が使用中でない（および／または熱療法を提供している）ときと比較してそれを冷却する。いずれの事例においても、第１の側２０は、皮膚とスキンケアデバイス２との間の媒介として、ビューティアクセサリの使用を介して直接または間接的にユーザによって接触され得る。
【００４４】
様々な実施形態では、温度制御ユニットは、第１の側の面を、華氏約７０度（「°Ｆ」）（２１．１１℃）と約１５０°Ｆ（６５．５６℃）との間、約７５°Ｆ（２３．８９℃）と約１２５°Ｆ（５１．６７℃）との間、および約８０°Ｆ（２６．６７℃）と約１００°Ｆ（３７．７８℃）との間の温度に加熱し得る。他の実施形態では、温度制御ユニットは、第１の側の面を、約３０°Ｆ（−１．１１℃）と約８０°Ｆ（２６．６７℃）との間、約４０°Ｆ（４．４４℃）と約７０°Ｆ（２１．１１℃）との間、および約５０°Ｆ（１０℃）と約６０°Ｆ（１５．５６℃）との間の温度に冷却し得る。代替的実施形態では、温度制御ユニットは、第１の側および／またはパネルと直接接触しているかまたはそれに直接隣接していることがある。いくつかの実施形態では、温度制御ユニットは、温度制御ユニットの近位端および遠位端によって熱が吸収および／または解放される機構を備え得る、Ｎ形半導体とＰ形半導体の一方または両方を含んでよく、そのような構成要素は市販されている。
【００４５】
温度交換構成要素１１２は、スキンケアデバイス２が加熱療法および冷却療法を提供するときに温度制御ユニット１１０によって発生された余分の熱を安全で適切に処分するように構成される。それがそのように行うことができる１つの方法は、温度制御ユニット１１０によって発生された熱を、上記のように温度交換構成要素１１２の一部分を含む第２の側３０の面３２に伝達することによる。前述されたように、第２の側３０の突出部３４のセットは、（平坦な面と比較して）追加の面エリアを提供して、上記の熱を空気または流体の形態で第１の側２０から離れてより迅速で効率的に伝達する。これは、たとえば、冷却療法を提供するときに起こり得る。
【００４６】
当業者は、加熱療法または冷却療法が所望されるデバイスの側、ならびにデバイスの形状およびサイズを含む様々な考慮事項に基づいて、特定の例による好適な温度制御ユニットを選択することが可能である。他の実施形態では、温度制御ユニットは、第１の側ではなく、人間の皮膚の上での使用のために本体の第２の側を加熱するように構成され得る。異なる実施形態では、温度制御ユニットは、第２の側ではなく、その第１の側を介して本体から離れて熱を伝達し得る。様々な他の実施形態では、温度制御ユニットは中間部分に熱を分散させ得る。
【００４７】
代替的実施形態では、スキンケアデバイスは、スキンケアデバイスの第１の側を冷却のみし、スキンケアデバイスの第２の側を加熱のみすることがある。そのような実施形態では、デバイスの両側は、人間の皮膚に直接または間接的に療法を提供するように構成され得る。さらに、別の実施形態では、第１の側は加熱のみされることがあり、第２の側は冷却のみされることがある。別の代替形態では、温度制御ユニットは、スキンケアデバイスが入っているモード、および温度制御ユニットがコントローラから受信する命令に応じて、第１の側を加熱および冷却することがあり、ならびに／または第２の側を加熱および冷却することがある。別の実施形態では、温度制御ユニットは、単に１つまたは複数の方向に熱を放出することがあり、それは、そのような一実施形態ではいずれの側も冷却することが不可能であり得る。
【００４８】
第１の温度センサ１２０および第２の温度センサ１２２（まとめて、「センサ１２０、１２２」）も本体１０内に配設される。センサ１２０、１２２は、実質的にピル形であり、それぞれテール１２０ａ、１２２ａを含む。センサ１２０、１２２は、電源６０およびコントローラ７０の各々に動作可能に接続され、スキンケアデバイス２の温度を測定し、上記の温度をコントローラ７０に報告するように構成される。センサ１２０、１２２のうちの一方が、スキンケアデバイス２の温度があるしきい値を過ぎたことを検出した場合、それは上記の情報をコントローラ７０に送信し、コントローラ７０は、過熱されたデバイスの潜在的影響（たとえば、皮膚を焼くことなど）からそのユーザを保護するためにデバイスの「シャットダウン」を開始する。そのような事例では、スキンケアデバイス２は動作することを中止し、動作のそのような中止は永続的または一時的であり得る。２つのセンサ１２０、１２２は、第１のセンサ１２０または第２のセンサ１２２が誤動作した場合、スキンケアデバイス２が、必要ならば、その温度を検出し、シャットダウンするためのワーキングセンサを依然として有することを保証するために含まれる。図示の実施形態では、第１のセンサ１２０および第２のセンサ１２２の各々は負の温度係数サーミスタを備える。しかしながら、他の実施形態では、第１のセンサおよび第２のセンサは任意の好適な構成要素からなり得る。当業者は、使用される特定の温度制御ユニットならびにデバイスのサイズおよび形状を含む様々な考慮事項に基づいて、特定の例による好適な第１のセンサおよび第２のセンサを選択することが可能である。異なる実施形態では、センサは、様々な半導体、銅、および他の好適な材料を含む、任意の好適な材料からなり得る。また他の実施形態では、スキンケアデバイスは、０個、１つ、３つ、または４つ以上のセンサを含み得る。様々な例では、センサの一方または両方は、センサが約１２０°Ｆ（４８．８９℃）、約１５０°Ｆ（６５．５６℃）、および約１８０°Ｆ（８２．２２℃）を超える温度を検出したとき、デバイスの動作を中止するようにコントローラに命令し得る。代替として、センサの一方または両方の所定の位置において熱ヒューズが使用され得る。当業者は、本体内にセンサを配置すべき場所を決定することが可能である。
【００４９】
スキンケアデバイス２とともに様々なビューティアクセサリが使用され得る。例示的なビューティアクセサリは、図１１Ａおよび図１１Ｂに最も良く示されている１つまたは複数のフェイシャルマスク２００を含む。しかしながら、他の実施形態では、他のタイプのビューティアクセサリが使用され得る。フェイシャルマスク２００などのフェイシャルマスクは、様々なしょう液、液体、化合物および同様の品目で被覆、充填、または階層化されるように設計された化粧品である。フェイシャルマスクは、ユーザの顔全体をほぼカバーするマスクの形態で主に、美容産業において知られている。それらは、材料および／またはしょう液もしくは化粧品が延長時間期間にわたって顔と接触し、ユーザの皮膚によって吸収され得るように、ユーザの上に残される。一方、図示のフェイシャルマスク２００は、ユーザの顔の一部分のみに接触し、それは、短い時間期間の間のみ、すなわち、スキンケアデバイス２が使用中であるときのみ、同部分と接触している。
【００５０】
スキンケアデバイス２によって発生される加熱、冷却、振動、および／または光は、延長時間期間にわたって顔の上に置かれた従来のマスクの成分よりも、フェイシャルマスク２００の成分が皮膚によって迅速に吸収されるのを助ける。様々な例では、フェイシャルマスクは、布、メッシュ、様々なマイクロファイバー、シリコーン、これらのうちの１つもしくは複数の組合せ、および／または任意の他の好適な材料からなり得る。追加の例では、フェイシャルマスクは、単独でまたは組合せにおいて、水、グリセリン、ブチレングリコール、ジプロピレンクリコール（clycol）、カプリル酸／カプリン酸トリグリセリド、エチルヘキサン酸セチル、ヤシ油脂肪酸ジグリセリンデシル、ヒドロキシアセトフェノン、パンテノール、アラントイン、オリーブ油脂肪酸セテアリル、オリーブ油脂肪酸ソルビタン、トロメタミン、カプリル酸／カプリン酸グリセリド、ニコチン酸アミド、カルボマー、様々なアクリレート、カプリリルグリコール、グリチルリチン酸ジカリウム、トコフェリルアセテート、エチルヘキシルグリセリン、シロキクラゲ子実体エキス、キサンタンガム、ホホバ種子油、フラングランジ（frangrange）、スベリヒユエキス、キシリチルグルコシド、無水キシリトール、３−ｏ−エチルアスコルビン酸、グルコース、１，２−ヘキサンジオール、パールエキス、スベリヒユエキス、水添レシチン、セラミド３、ブチレングリコール、ヤシ油脂肪酸デシル、グリセレス−２６、シアバター、ＰＥＧ−１００ステアレート、ポリソルベート６０、トロメタミン、カルノシン、加水分解コラーゲン、パルミトイルトリペプチド−５、および他の好適な化合物の材料および／または化合物のうちの１つまたは複数において被覆されるか、それらからなるか、それらを含むか、または他の方法でそれらを取り入れることがある。
【００５１】
フェイシャルマスク２００は、それが第１の側２０の面２２上に置かれ、ロッキング機構５０の使用によってスキンケアデバイス２上の所定の位置にロックされることが可能であるように構成され、ロッキング機構５０は、それがスキンケアデバイス２上に配置されると、フェイシャルマスク２００上に置かれる。フェイシャルマスク２００は、形状が比較的円形であり、薄い。フェイシャルマスク２００はまた、フェイシャルマスク２００の本体から離れて延びている突出部２０２を含み、それは、ユーザがフェイシャルマスク２００を容易に把持することを可能にする。ロッキング機構５０は、ロッキング機構５０がスキンケアデバイス２に固定されるとき、フェイシャルマスク２００の一部分を溝２４内に固定し、マスク２００の別の部分を第１の側２０の内側部分２３の上に固定することによって、一度に１つのフェイシャルマスク２００を所定の位置にロックする。
【００５２】
図１２Ａ、図１２Ｂ、図１２Ｃ、図１２Ｄは、フェイシャルマスク２００などのフェイシャルマスク、およびスキンケアデバイス２をそれぞれ示す。図１２Ａは、ロッキング機構５０が溝２４から取り外され、フェイシャルマスク２００がスキンケアデバイス２の第１の側２０に隣接して配設されているが、それと接触はしていない、スキンケアデバイス２を示している。図１２Ｂは、第１の側２０と接触しており、溝２４に隣接しているフェイシャルマスク２００と、第１の側２０の上方に配設されているが、それと接触はしていないロッキング機構５０とを示している。図１２Ｃおよび図１２Ｄは、第１の側２０と接触しており、部分的に溝２４内に配設されており、それ自体が部分的に溝２４内に配設されたロッキング機構５０によって第１の側２０に固定されているフェイシャルマスク２００をそれぞれ示している。
【００５３】
使用中に、ユーザは、図１２Ａ、図１２Ｂ、図１２Ｃ、および図１２Ｄに示されているように、マスク２００などのマスクを第１の側２０との接触状態にし、ロッキング機構５０を介してマスクを所定の位置にロックし得る。ユーザは、次いで、スキンケアデバイス２のユーザコントロール７２を押下またはホールドしてデバイスをアクティブにする。スキンケアデバイス２は、次いで、デバイスが使用される準備ができていることをユーザにシグナリングする。スキンケアデバイス２が使用される準備ができていることをシグナリングする１つのそのような様式は、光源１００からの光の放出を介する。光源１００は、それが使用のための準備ができていることを示すために、それがある関係時間（１秒、２秒、３秒など）にわたって光を放出するように構成されることが可能であり、それはまた、それが使用のための準備ができていることを示すために、ある色または色のシーケンスを放出し得る。様々な他の実施形態では、光源は、デバイスが使用のための準備ができていることを示すために、ある１つまたは複数の光が経路に追従するように、回転様式で光を放出し得る。任意選択で、デバイスがアクティブにされると、ユーザは、スキンケアデバイス２が携帯電話などの第２のデバイスと通信することが可能であることを保証するために、ある時間期間にわたってユーザコントロール７２を押下および／または維持してもよい。そのような通信の一例は、ユーザがユーザコントロールを３秒間押下し維持した後の一連の点滅光であり得る。スキンケアデバイス２が第２のデバイスと通信していることの確認は、光源１００による光の別の放出の形態で届き得る。
【００５４】
一例では、デバイスのアクティブ化の後に、ユーザは、スキンケアデバイスが実施するように構成されたあるモード、プログラム、または処置を選択し得る。ユーザはユーザコントロールを何回か押下してよく、このことは、スキンケアデバイスが、光源を介してユーザに通信される可能な処置を巡回することを可能にする。例示的な実施形態では、アクティブ化の後にユーザコントロールを押下することは、デバイスが何らかの順序で緑色光、赤色光、および／または青色光を放出することを巡回的に生じ得る。光の他の色もこの時点において放出され得る。そのような実施形態では、デバイスが実施するのをユーザが選好する処置に対応する特定の光をデバイスが放出したとき（ユーザはこの情報を手動でまたは試行錯誤を通して発見し得る）、ユーザは、再びユーザコントロールを押下し得る（またはコントロールを押下するのを中止し得る）。デバイスは、次いで、選択された処置パターンを実施し得る。別の実施形態では、特定の処置は、ユーザが様々な処置を巡回することを可能にするスキンケアデバイス上に置かれた追加のボタンを介して選択されることが可能である。異なる実施形態では、特定の処置方法は、スキンケアデバイスと通信し、それに情報を送信するように構成された、モバイルフォンなどの第２のデバイスの使用を介して選択されることが可能である。他の実施形態では、光源によって放出される光の速度および／または回転パターンが、ユーザによって選択されるべき様々な処置を示し得る。
【００５５】
特定の処置がユーザによって選択されると、スキンケアデバイスは、熱療法もしくは低温療法を提供すること、様々なタイプの光を放出すること、および／または振動することのうちの１つまたは複数を行う。スキンケアデバイスは、任意の順序で、任意の持続時間の間、およびデバイスの様々な部分を介した皮膚との接触またはその近くの配置を通して、ならびに上記で説明されたように、これらの処置を実施し得る。さらに、これらの処置は、ビューティアクセサリの助けを用いてまたは用いないで皮膚に適用され得る。
【００５６】
様々な例示的な処置パターンが以下に含まれる。説明される以下の処置パターンは、本質的に例示的にすぎず、いかなる形でも本開示の内容を限定するように設計されていない。以下の処置パターンは、デバイスとともにマスクの使用を含むことがあり、したがって、使用される何らかのマスクは、処置パターンの選択より前に、各処置パターンでスキンケアデバイス上に固定されるかまたは部分的にスキンケアデバイス内に固定されると仮定される。しかしながら、マスクが使用されない他の例が存在する。その上、様々なスキンケアデバイスは、以下で説明されないいくつかの他の処置パターンを実施し得る。
【００５７】
各例示的な処置パターンにおいて、ユーザは、スキンケアデバイスのユーザコントロールなど、スキンケアデバイスのユーザコントロールを押下する。これはスキンケアデバイスをアクティブにする。任意選択で、ユーザは、次いで、ユーザコントロールを約３秒間押下し、維持し得る。そのようにすることは、スキンケアデバイスが、光源などの光源によって放出される約３秒の点滅光を介して第２のデバイスと通信することが可能であることを確認することになる。ユーザは、次いで、上記で説明されたように、適切な時間にまたは適切な様式でユーザコントロールを押下することによって、第１の例示的な処置パターンを選択する。この時点において、ユーザは、例示的な処置が開始されると、スキンケアデバイスをその人の皮膚に隣接してまたはそれと接触して置く。それに応じて、様々な例示的な処置パターンは、加熱、冷却、光放出、および／または振動の以下のパターンを介してユーザの皮膚を処置する。
【００５８】
第１の処置パターンの選択の後に、光源は、最初に同時に、赤色光を放出し、スキンケアデバイスの第１の側を加熱する。これは約３０秒間行われる。次に、スキンケアデバイスは、同時に約６０秒間、第１の側を加熱し、赤色光を放出し、振動する。その後、スキンケアデバイスは、同時に約３０秒間、振動し、赤色光を放出する。これは、いくつかのサイクルにわたって繰り返され得る。様々な処置パターンでは、１つ、２つ、３つ、４つ、５つ、または６つ以上のサイクルが使用され得る。スキンケアデバイスは、次いで、その非アクティブ化より直前の、モータの３つの脈動によって明白となるように、非アクティブになる。スキンケアデバイスの非アクティブ化は、処置パターンの終了時に自動的にまたはユーザコントロールの操作を介して行われ得る。
【００５９】
様々な実施形態では、第１の例示的な処置パターンは、任意の順序で実施され得る任意の数のアクションを備え得る。たとえば、光源は、緑色光、青色光、ピンク色光、または赤色光のいずれかを放出することがあり、常に上記の光を放出することがある。それはまた、１秒、２秒、３秒、５秒、１０秒、１５秒、２０秒、３０秒、６０秒、または任意の他の好適な秒数の間隔を含む、任意の好適な間隔で光を放出し得る。さらに、第１の処置は、デバイスが光、熱、冷却、または振動を放出しない期間を含み得る。様々な例示的な第１の処置は、同様に、任意の好適な数のサイクルを含み得る。その上、他の例示的な第１の処置では、モータは、任意の周波数において、ならびに約５秒と約１８０秒との間、約３０秒と約１５０秒との間、および約６０秒と約１２０秒との間を含む、任意の好適な時間長にわたって、振動および／または脈動を生成し得る。
【００６０】
第２の例示的な処置パターンも、上記で説明されたように、ユーザコントロールを介して選択され得る。第２の処置パターンの選択の後に、スキンケアデバイスは、同時に、赤色光を放出し、スキンケアデバイスの第１の側を加熱する。これは約３０秒間行われる。次に、スキンケアデバイスは、同時に約６０秒間、第１の側を加熱し、赤色光を放出し、振動または脈動する。その後、デバイスは、同時に約３０秒間、緑色光を放出し、振動する。スキンケアデバイスは、次いで、機能の中止より直前の、モータの３つの脈動によって明白となるように、非アクティブになる。スキンケアデバイスの非アクティブ化は、処置パターンの終了時に自動的にまたはユーザコントロールの操作を介して行われ得る。任意選択で、モータは、次いで、再アクティブ化され、スキンケアデバイスの振動および／または脈動を追加の３０秒間生成し得る。振動および／または脈動の強度は、この時間が経過するにつれて減少し得る。
【００６１】
様々な実施形態では、第２の例示的な処置パターンは、任意の順序で実施され得る任意の数のアクションを備え得る。たとえば、光源は、緑色光、青色光、ピンク色光、または赤色光のいずれかを放出することがあり、常に上記の光を放出することがある。それはまた、１秒、２秒、３秒、５秒、１０秒、１５秒、２０秒、３０秒、６０秒、または任意の他の好適な秒数の間隔を含む、任意の好適な間隔で光を放出し得る。さらに、第２の処置は、デバイスが光、熱、冷却、または振動を放出しない期間を含み得る。様々な例示的な第２の処置は、同様に、任意の好適な数のサイクルを含み得る。その上、他の例示的な第２の処置では、モータは、任意の周波数において、ならびに約５秒と約１８０秒との間、約３０秒と約１５０秒との間、および約６０秒と約１２０秒との間を含む、任意の好適な時間長にわたって、振動および／または脈動を生成し得る。
【００６２】
第３の例示的な処置パターンも、上記で説明されたように、ユーザコントロールを介して選択され得る。第３の処置パターンの選択の後に、スキンケアデバイスは、同時に、青色光を放出し、スキンケアデバイスの第１の側を加熱する。これは約６０秒間行われる。次に、スキンケアデバイスは、同時に約３０秒間、第１の側を冷却し、青色光を放出し、振動を放出する。最後に、スキンケアデバイスは、同時に約３０秒間、第１の側を冷却し、赤色光および青色光を放出し、振動する。スキンケアデバイスの非アクティブ化は、処置パターンの終了時に自動的にまたはユーザコントロールの操作を介して行われ得る。任意選択で、モータは、次いで、再アクティブ化され、スキンケアデバイスの振動および／または脈動を追加の３０秒間生成し得る。
【００６３】
様々な実施形態では、第３の例示的な処置パターンは、任意の順序で実施され得る任意の数のアクションを備え得る。たとえば、光源は、緑色光、青色光、ピンク色光、または赤色光のいずれかを放出することがあり、常に上記の光を放出することがある。それはまた、１秒、２秒、３秒、５秒、１０秒、１５秒、２０秒、３０秒、６０秒、または任意の他の好適な秒数の間隔を含む、任意の好適な間隔で光を放出し得る。さらに、第３の処置は、デバイスが光、熱、冷却、または振動を放出しない期間を含み得る。様々な例示的な第３の処置は、同様に、任意の好適な数のサイクルを含み得る。その上、他の例示的な第３の処置では、モータは、任意の周波数において、ならびに約５秒と約１８０秒との間、約３０秒と約１５０秒との間、および約６０秒と約１２０秒との間を含む、任意の好適な時間長にわたって、振動および／または脈動を生成し得る。
【００６４】
第４の例示的な処置パターンも、上記で説明されたように、ユーザコントロールを介して選択され得る。第４の処置パターンの選択の後に、光源は、最初に同時に、赤色光を放出し、冷却し、スキンケアデバイスの第１の側に振動を放出する。これは約３０秒間行われる。次に、スキンケアデバイスは、同時に約３０秒間、赤色光を放出し、冷却し、第１の側に振動を放出する。モータは、この時点において低周波数で振動する。これの後に、スキンケアデバイスは、同時に約３０秒間、青色光を放出し、冷却し、第１の側に振動を放出する。スキンケアデバイスは、次いで、機能の中止より直前の、モータの３つの脈動によって明白となるように、非アクティブになる。スキンケアデバイスの非アクティブ化は、処置パターンの終了時に自動的にまたはユーザコントロールの操作を介して行われ得る。任意選択で、モータは、次いで、再アクティブ化され、スキンケアデバイスの振動および／または脈動を追加の３０秒間生成し得る。
【００６５】
様々な実施形態では、第４の例示的な処置パターンは、任意の順序で実施され得る任意の数のアクションを備え得る。たとえば、光源は、緑色光、青色光、ピンク色光、または赤色光のいずれかを放出することがあり、常に上記の光を放出することがある。それはまた、１秒、２秒、３秒、５秒、１０秒、１５秒、２０秒、３０秒、６０秒、または任意の他の好適な秒数の間隔を含む、任意の好適な間隔で光を放出し得る。さらに、第４の処置は、デバイスが光、熱、冷却、または振動を放出しない期間を含み得る。様々な例示的な第４の処置は、同様に、任意の好適な数のサイクルを含み得る。その上、他の例示的な第４の処置では、モータは、任意の周波数において、ならびに約５秒と約１８０秒との間、約３０秒と約１５０秒との間、および約６０秒と約１２０秒との間を含む、任意の好適な時間長にわたって、振動および／または脈動を生成し得る。
【００６６】
第５の例示的な処置パターンも、上記で説明されたように、ユーザコントロールを介して選択され得る。第５の処置パターンの選択の後に、スキンケアデバイスは、同時に、赤色光を放出し、スキンケアデバイスの第１の側を加熱し、高周波数で脈動する。これは約３０秒間行われる。スキンケアデバイスは、次いで、同時に約６０秒間、第１の側を加熱し、赤色光を放出し、振動または脈動する。モータは、この時間期間の間、低周波数で振動する。次に、スキンケアデバイスは、次いで、上記の時間期間中に強度が漸進的に減少する振動を３０秒間生成する。スキンケアデバイスは、次いで、機能の中止より直前の、モータの３つの脈動によって明白となるように、非アクティブになる。スキンケアデバイスの非アクティブ化は、処置パターンの終了時に自動的にまたはユーザコントロールの操作を介して行われ得る。
【００６７】
様々な実施形態では、第５の例示的な処置パターンは、任意の順序で実施され得る任意の数のアクションを備え得る。たとえば、光源は、緑色光、青色光、ピンク色光、または赤色光のいずれかを放出することがあり、常に上記の光を放出することがある。それはまた、１秒、２秒、３秒、５秒、１０秒、１５秒、２０秒、３０秒、６０秒、または任意の他の好適な秒数の間隔を含む、任意の好適な間隔で光を放出し得る。さらに、第５の処置は、デバイスが光、熱、冷却、または振動を放出しない期間を含み得る。様々な例示的な第２の処置は、同様に、任意の好適な数のサイクルを含み得る。その上、他の例示的な第５の処置では、モータは、任意の周波数において、ならびに約５秒と約１８０秒との間、約３０秒と約１５０秒との間、および約６０秒と約１２０秒との間を含む、任意の好適な時間長にわたって、振動および／または脈動を生成し得る。
【００６８】
第６の例示的な処置パターンも、上記で説明されたように、ユーザコントロールを介して選択され得る。第６の処置パターンの選択の後に、スキンケアデバイスは、同時に、赤色光を放出し、スキンケアデバイスの第１の側を加熱する。これは約３０秒間行われる。次に、スキンケアデバイスは、同時に約３０秒間、第１の側を加熱し、振動し、赤色光を放出する。これの後に、スキンケアデバイスは、同時に約３０秒間、緑色光を放出し、振動する。次に、スキンケアデバイスは、次いで、上記の時間期間にわたって強度が漸進的に減少する振動を３０秒間生成する。スキンケアデバイスは、次いで、機能の中止より直前の、モータの３つの脈動によって明白となるように、非アクティブになる。スキンケアデバイスの非アクティブ化は、処置パターンの終了時に自動的にまたはユーザコントロールの操作を介して行われ得る。
【００６９】
様々な実施形態では、第６の例示的な処置パターンは、任意の順序で実施され得る任意の数のアクションを備え得る。たとえば、光源は、緑色光、青色光、ピンク色光、または赤色光のいずれかを放出することがあり、常に上記の光を放出することがある。それはまた、１秒、２秒、３秒、５秒、１０秒、１５秒、２０秒、３０秒、６０秒、または任意の他の好適な秒数の間隔を含む、任意の好適な間隔で光を放出し得る。さらに、第６の処置は、デバイスが光、熱、冷却、または振動を放出しない期間を含み得る。様々な例示的な第２の処置は、同様に、任意の好適な数のサイクルを含み得る。その上、他の例示的な第６の処置では、モータは、任意の周波数において、ならびに約５秒と約１８０秒との間、約３０秒と約１５０秒との間、および約６０秒と約１２０秒との間を含む、任意の好適な時間長にわたって、振動および／または脈動を生成し得る。
【００７０】
様々な他の例示的な処置パターンが存在する。そのようなパターンにおいて、様々なスキンケアデバイスは、任意の持続時間の間、任意の順序で、および任意の強度において、光、熱および／または冷却、ならびに振動／脈動を放出し得る。
【００７１】
図１３、図１４、図１５、図１５Ａ、図１６、図１７、図１８、図１９、図２０、および図２１は、別の例示的なスキンケアデバイス４を示す。このスキンケアデバイスは、以下で説明されることを除いて、図１から図９に示されているスキンケアデバイス２と同様である。したがって、スキンケアデバイス４は、少なくとも、本体３００、第１の側３０２、第２の側３０４、中間部分３０６、コントローラ３０７、光源３０８、電源３０９、モータ３１０、温度制御ユニット３１２、温度交換構成要素３１３、ユーザコントロール３１４、フレーム３１５、充電ポート３１６、第１の温度センサ３１７および第２の温度センサ３１８、ならびにロッキング機構３１９を備える。
【００７２】
図示の実施形態では、第１の側３０２は、スキンケアデバイス４が使用中であるときにユーザが接触する面３２２を有する接触部片３２０を含む。接触部片３２０は、図示の実施形態では金属からなり、ユーザに熱療法および／または低温療法を伝達するように構成される。ユーザがそのような療法を受けるために接触するスキンケアデバイス４の部分は、電源３２６を格納するパネル３２４の一部分ではない。これは、パネル６２の上側部分６６が、ユーザが熱療法および／または低温療法を受けるために接触する第１の側２０の面２２を画成する、上記で説明されたスキンケアデバイス２とは異なる。明快にするために、接触部片３２０は、図示の実施形態ではパネル３２４に実質的に隣接して配設され得るが、これらの構成要素は一体的に形成されていない。当業者は、スキンケアデバイス内に格納される構成要素のサイズおよび形状を含む様々な構成に基づいて、特定の例による好適な接触部片を選択することが可能である。様々な実施形態では、接触部片は、アルミニウム、アルミニウム合金、亜鉛合金、銅、ステンレス鋼、金、銀、セラミック、および他の好適な材料のうちの１つまたは複数を含む、任意の好適な材料を備え得る。他の実施形態では、接触部片の一部分は、熱フィルムまたはペーストで被覆され得る。異なる実施形態では、接触部片の面は、約１ｃｍと約１５ｃｍとの間、約２ｃｍと約１０ｃｍとの間、および約３と約６ｃｍとの間の直径を有し得る。
【００７３】
接触部片３２０はまた、ユーザによって接触されるその面３２２と反対の接触部片３２０の遠位端３３２において第１の脚部３２８および第２の脚部３３０を含む。第１の脚部３２８および第２の脚部３３０は、温度制御ユニット３１２がその中に置かれ得るキャビティ３３４を形成する。温度制御ユニット３１２をキャビティ３３４内に置くことは、温度制御ユニット３１２が、ユーザが熱療法および／または低温療法を受けるために接触する面３２２に直接隣接して配設されることを可能にする。そのような配置は、接触部片３２０が面３２２の非常に近くにあるので、面３２２を介したユーザへの熱療法および／または低温療法の効率的で有効な伝達を可能にする。当業者は、温度制御ユニットの形状およびサイズを含む様々な考慮事項に基づいて、好適な接触部片を選択することが可能である。他の実施形態では、接触部片と温度制御ユニットとの間に媒介物が置かれ得る。異なる実施形態では、接触部片は、０個、１つ、３つ、または４つ以上の脚部を含み得る。代替的実施形態では、接触部片はキャビティを画成しないことがあり、温度制御ユニットは、接着剤、機械的取り付け、または何らかの他の機構を介して接触部片に固定され得る。
【００７４】
最後に、温度交換構成要素３１３は、図示の実施形態ではフレーム３１５に直接取り付けられるかまたはそれに接続する。この実施形態は、スキンケアデバイス２中に含まれていたように、支持部材を含まない。
【００７５】
図２２、図２３、図２４、図２５、図２６、図２７、および図２８は、別の例示的なスキンケアデバイス６を示す。このスキンケアデバイス６は、以下で説明されることを除いて、図１３から図２１に示されているスキンケアデバイス４と同様である。したがって、スキンケアデバイス６は、少なくとも、第１の側４０２、第２の側４０４、中間部分４０６、（図に示されていない）光源、（図に示されていない）モータ、（図に示されていない）温度制御ユニット、ユーザコントロール４１０、充電ポート４１１、およびロッキング機構４１２を有する本体４００を備える。
【００７６】
この実施形態では、スキンケアデバイス６は、部分的にシリコーンカバー４１４によってカバーされる。より詳細には、シリコーンカバー４１４は、それが第２の側４０４の一部分および中間部分４０６を形成するように延びる。シリコーンカバー４１４の外面４１８は、少なくとも、第２の側４０４の面の一部分および中間部分４０６を備える。シリコーンカバー４１４は、図示の実施形態では単体部片である。
【００７７】
シリコーンカバー４１４はまた、第２の側４０４の中心部分４２４に関してカットアウト４１５を画成する。カットアウト４１５は、形状が実質的に円形である。中心部分４２４は、形状が実質的に円形であり、温度交換構成要素４１６がユーザによってタッチされることを可能にする。特に、第２の側４０４の第２の外面４２２は、ユーザによって接触され得る温度交換構成要素４１６の一部分を備える。温度交換構成要素４１６は、上記で説明された温度交換構成要素１１２を備え得る任意の材料からなり得る。温度交換構成要素４１６はまた、ロゴまたはシンボルを表示し得る。
【００７８】
第２の側４０４の一部分を備えるシリコーンカバー４１４の外面４１８は、第１の側４０２から離れて延びる突出部４２６のセットを画成する。突出部４２６のセットの各突出部は、図示の実施形態では第２の側４０４（および、したがって、シリコーンカバー４１４）と一体的に形成されている。突出部４２６のセットの各突出部は、図示の実施形態では同様に外面４１８と同じ材料からなる。しかしながら、他の実施形態では、突出部のセットは、何らかの機械的取り付けを介しておよび／または接着剤の使用を介して第２の側および／またはシリコーンカバリングに取り付けられ得る。代替として、他の実施形態では、突出部のセットのいくつかの突出部は第２の側および／またはシリコーンカバリングと一体的に形成されてよく、他の突出部は第２の側および／またはシリコーンカバリングに取り付けられてよい。
【００７９】
突出部４２６のセットの各突出部は、直径を画成する上面４２６ａを含む。図示の実施形態では、様々な上面４２６ａの直径は均一でない。概して、中心部分４２４により近い突出部４２６のセットの突出部の上面４２６ａは、中心部分４２４から遠くの突出部４２６のセットの突出部の上面４２６ａよりも小さい直径を有する。しかしながら、様々な実施形態では、突出部のセットは任意の材料からなってよく、任意の位置合わせを有し得る。当業者は、第２の側のサイズおよび形状ならびにデバイスの機能を含む様々な考慮事項に基づいて、特定の例による好適な突出部の材料および位置合わせを選択することが可能である。様々な実施形態では、突出部は、任意の好適な材料からなり得る。他の実施形態では、突出部は、金、ニッケル、白金、および／または別の同様の材料で被覆され得る。異なる実施形態では、いくつかの突出部は第１の材料からなり得るが、他の突出部は第２の材料からなる。様々な他の実施形態では、第２の側のいずれかの部分は、第２の側の面の約５％と約９０％との間、第２の側の面の約２５％と約７０％との間、および第２の側の面の約４０％と約５５％との間を含む突出部を含み得る。様々な実施形態では、突出部のセットの１つまたは複数の突出部は、約０．１ｍｍと約６ｃｍとの間の高さ、約２ｍｍと約３ｃｍとの間の高さ、および約５ｍｍと約１ｃｍとの間の高さを有し得る。様々な実施形態では、突出部のセットの１つまたは複数の突出部は、約０．０１ｍｍと約５ｃｍとの間の直径、約０．１ｍｍと約２．５ｃｍとの間の直径、および約．５ｍｍと約１ｃｍとの間の直径を有し得る。
【００８０】
さらに、図２２から図２８に示されているスキンケアデバイス６は、低温療法を提供することが不可能な温度制御ユニットを含む。実際、図示の実施形態では、温度制御ユニットは、デバイスの第１の側４０２のほうへ熱を解放することを介して同第１の側４０２を加熱することしかできず、その温度を低減することができない。しかしながら、スキンケアデバイス６は、モータを介して振動を放出し、光源から（赤色、緑色、および青色を含む）光のいくつかの異なる色を放出することが依然として可能である。しかしながら、異なる実施形態では、温度制御ユニットは、第１の側４０２の温度を低減し、同第１の側４０２を介して冷却療法を提供することが可能であり得る。
【００８１】
図２９は、スキンケアデバイスおよびマスクを使用する例示的な方法５００のフローチャート表現である。この方法の実施は、スキンケアデバイスおよびビューティアクセサリによって、顔および／または首などのユーザの体の処置をもたらす。この方法は、人間の体のどんな部分を処置するためにも使用されることが可能である。
【００８２】
初期ステップ５０２は、フェイシャルマスク２００などのビューティアクセサリを、スキンケアデバイス２の第１の側２０など、スキンケアデバイスの第１の側との接触状態にすることを備える。様々な他の方法では、スキンケアデバイス４および／またはスキンケアデバイス６を含む、任意の好適なビューティアクセサリおよび／またはスキンケアデバイスが選択され得る。異なる方法では、１つまたは複数のビューティアクセサリが同時に第１の側との接触状態にされ得る。
【００８３】
別のステップ５０４は、ロッキング機構５０などのロッキング機構を介してフェイシャルマスク２００をスキンケアデバイス２の第１の側２０の上に固定することを備える。ロッキング機構５０は、フェイシャルマスク２００にわたって置かれ、マスク２００の一部分とともに、溝２４などの溝の内に挿入される。様々な他の実施形態では、フェイシャルマスクは、任意の物理的機構を介してまたは接着剤を介してスキンケアデバイス２に固定され得る。
【００８４】
別のステップ５０６は、スキンケアデバイス２に使用のための準備をさせるために、ユーザコントロール７２などのユーザコントロールを押下することによってスキンケアデバイス２をアクティブにすることを備える。
【００８５】
別のステップ５０８は、上記で説明された処置パターン１、２、３、４、５、もしくは６、または任意の他の好適な処置パターンのうちのいずれかなど、好適な処置パターンを選択することを備える。処置パターンはユーザコントロール７２を介して選択され得る。特定の処置パターンの選択は、光源１００などの光源を介してユーザに通信されてよく、光源は、様々な処置パターンを示すために光の異なるパターン、色、または点滅を放出し得る。
【００８６】
別のステップ５１０は、スキンケアデバイス２をユーザの皮膚との接触状態または隣接状態にすることを備える。そのようにすることは、光源１００によって放出される光、モータ８０などのモータによって放出される振動および／もしくは脈動、ならびに／または温度制御ユニット１１０などの温度制御ユニットによって発生される加熱および／もしくは冷却を介してスキンケアデバイス２が皮膚を処置することを可能にする。
【００８７】
別のステップ５１２は、スキンケアデバイス２を非アクティブにすることを備える。スキンケアデバイス２は、ある持続時間にわたって、もしくは特定のパターンで何回か脈動することによって、またはある持続時間にわたって、特定のパターンで、ある回数だけ光を放出することによって、または１つもしくは複数の特定の色の光の放出によって、非アクティブ化が開始されたことを示す。スキンケアデバイス２の非アクティブ化は、処置パターンの終了時に自動的にまたはユーザコントロール７２の操作を介して行われ得る。
【００８８】
図示および説明された順序でこの方法５００を完了することが有利であることに留意されたい。しかしながら、どんな順序でも好適であると見なされる。
【００８９】
図３０は、スキンケアデバイスの真正性を検証する例示的な方法６００のフローチャート表現である。本方法の実施は、特定のスキンケアデバイスの真正性の確認または否定をもたらす。
【００９０】
初期ステップ６０２は、たとえば、コントローラ７０を有するスキンケアデバイス２などのコントローラを有するスキンケアデバイスを、パーソナルコンピュータ、タブレット、サーバ、および／または携帯電話などの第２のデバイスと動作可能に接続することを備える。しかしながら、他の実施形態では、スキンケアデバイス４および／またはスキンケアデバイス６を含む、任意の好適なスキンケアデバイスおよび／またはコントローラが使用され得る。接続は、無線または有線接続を介して行われ得る。
【００９１】
別のステップ６０４は、第２のデバイスが、スキンケアデバイスのために実施すべき特定のテストを選択することを備える。そのようなテストは、様々な実施形態では、モータテスト、バッテリテスト、温度制御ユニットテスト、および／または光源テストのうちの１つまたは複数を含み得る。しかしながら、他の実施形態では、任意の好適なテストが実施されてもよい。
【００９２】
別のステップ６０６は、ステップ６０４において選択されたテストおよび／または（複数の）テストを実施することを備える。
【００９３】
別のステップ６０８は、スキンケアデバイスおよび／またはそのコントローラが、ステップ６０６において実施されたテストに失敗したと判定することを備える。そのような事例では、スキンケアデバイスは、スキンケアデバイスに関係する情報を第２のデバイスに送るのを防止される。他の実施形態では、スキンケアデバイスは、テストを実施することの失敗の後に、一時的または永続的に無効化され得る。
【００９４】
別のステップ６１０は、スキンケアデバイスおよび／またはそのコントローラが、ステップ６０６において実施されたテストに合格したと判定することを備える。
【００９５】
別のステップ６１２は、スキンケアデバイスから第２のデバイスにデータを送信することを備える。送信されるデータは、概して、スキンケアデバイスに関係する情報を含んでおり、スキンケアデバイスのチップＩＤ、スキンケアデバイスのバッテリに関係する情報、スキンケアデバイスのメディアアクセス制御（「ＭＡＣ」）アドレス、および／またはスキンケアデバイスのシリアル番号のうちの１つまたは複数を含み得る。しかしながら、様々な実施形態では、いかなる関係する情報も第２のデバイスに受け渡され得る。
【００９６】
任意選択で、別のステップ６１４は、第２のデバイスから追加のデバイスにデータを送信することを備える。追加のデバイスは、パーソナルコンピュータ、タブレット、携帯電話、データベース、サーバ、および／または他の好適なデバイスのうちの１つまたは複数を含み得る。
【００９７】
図示および説明された順序でこの方法６００を完了することが有利であることに留意されたい。しかしながら、どんな順序でも好適であると見なされる。
【００９８】
すべての例において、スキンケアデバイスおよびその様々な構成要素は、現在知られている材料および後で開発される材料を含む、任意の好適な材料から形成され得る。当業者は、スキンケアデバイス、スキンケアデバイス内に格納されるモータ、スキンケアデバイス内に格納される光源、および使用される特定の温度制御ユニットのサイズおよび形状を含む様々な考慮事項に基づいて、例示的なスキンケアデバイスのために適切な材料を選択することが可能である。
【００９９】
当業者は、説明および図示された実施形態のための様々な変更形態および代替形態が、本開示の全体的な教示に照らして開発されることが可能であることを諒解されよう。したがって、開示される特定の構成は、添付の特許請求の範囲およびそのあらゆるすべての均等物の全幅を与えられるべき本発明の範囲に関して限定的でなく、例示的なものにすぎないことを意図される。
【図１】
2020512849.tif 000003
【図２】
2020512849.tif 000004
【図３】
2020512849.tif 000005
【図３Ａ】
2020512849.tif 000006
【図４】
2020512849.tif 000007
【図５】
2020512849.tif 000008
【図６】
2020512849.tif 000009
【図７】
2020512849.tif 000010
【図８】
2020512849.tif 000011
【図９】
2020512849.tif 000012
【図９Ａ】
2020512849.tif 000013
【図１０】
2020512849.tif 000014
【図１１Ａ】
2020512849.tif 000015
【図１１Ｂ】
2020512849.tif 000016
【図１２Ａ】
2020512849.tif 000017
【図１２Ｂ】
2020512849.tif 000018
【図１２Ｃ】
2020512849.tif 000019
【図１２Ｄ】
2020512849.tif 000020
【図１３】
2020512849.tif 000021
【図１４】
2020512849.tif 000022
【図１５】
2020512849.tif 000023
【図１５Ａ】
2020512849.tif 000024
【図１６】
2020512849.tif 000025
【図１７】
2020512849.tif 000026
【図１８】
2020512849.tif 000027
【図１９】
2020512849.tif 000028
【図２０】
2020512849.tif 000029
【図２１】
2020512849.tif 000030
【図２２】
2020512849.tif 000031
【図２３】
2020512849.tif 000032
【図２４】
2020512849.tif 000033
【図２５】
2020512849.tif 000034
【図２６】
2020512849.tif 000035
【図２７】
2020512849.tif 000036
【図２８】
2020512849.tif 000037
【図２９】
2020512849.tif 000038
【図３０】
2020512849.tif 000039
【国際調査報告】
2020512849.tif 000040
2020512849.tif 000041
2020512849.tif 000042